(57)【要約】【課題】正方向記録の記録密度を向上することのできる斜め蒸着磁気テープの記録方法及びその方法を使用する磁気記録再生装置を提供する。【解決手段】非磁性テープ上に斜め蒸着により形成された磁性層を有する磁気テープにリニア方式により信号を記録する斜め蒸着磁気テープの記録方法において、前記非磁性テープ表面への磁性層のカラム傾斜方向に磁気ヘッドを相対的に走行させる際に、記録用信号最大周波数（１Ｔ）の最適記録電流値から２．３〜３．２ｄＢ高い記録電流値で前記磁気テープに信号を記録する。【選択図】図６
2006134381.tif 000002
【特許請求の範囲】
【請求項１】
非磁性テープ上に斜め蒸着により形成された磁性層を有する磁気テープにリニア方式により信号を記録する斜め蒸着磁気テープの記録方法において、
前記非磁性テープ表面への磁性層のカラム傾斜方向に磁気ヘッドを相対的に走行させる際に、記録用信号最大周波数（１Ｔ）の最適記録電流値から２．３〜３．２ｄＢ高い記録電流値で前記磁気テープに信号を記録することを特徴とする斜め蒸着磁気テープの記録方法。
【請求項２】
非磁性テープ上に斜め蒸着により形成された磁性層を有する磁気テープにヘリカルスキャン方式により信号を記録する斜め蒸着磁気テープの記録方法において、
記録用信号最大周波数（１Ｔ）の最適記録電流値から１．７〜２．９ｄＢ高い記録電流値で前記磁気テープに信号を記録することを特徴とする斜め蒸着磁気テープの記録方法。
【請求項３】
前記信号記録に使用される記録電流値は、１Ｔの最適記録電流値から略２．５ｄＢ高い電流値であることを特徴とする請求項１または２に記載の斜め蒸着磁気テープの記録方法。
【請求項４】
前記磁性層の厚みが５５ｎｍ以下であることを特徴とする請求項１または２に記載の斜め蒸着磁気テープの記録方法。
【請求項５】
非磁性テープ上に斜め蒸着により形成された磁性層を有する磁気テープについてリニア方式で信号を記録する磁気記録再生装置であって、
前記非磁性テープ表面への磁性層のカラム傾斜方向に相対的に走行する際に、記録用信号最大周波数（１Ｔ）の最適記録電流値から２．３〜３．２ｄＢ高い記録電流値で前記磁気テープに信号を記録する記録用磁気ヘッドと、
前記記録用磁気ヘッドにより記録された信号を再生する再生用磁気ヘッドと、
前記磁気テープの走行機構とを備えることを特徴とする磁気記録再生装置。
【請求項６】
非磁性テープ上に斜め蒸着により形成された磁性層を有する磁気テープについてヘリカルスキャン方式で信号を記録、再生する磁気記録再生装置であって、
記録用信号最大周波数（１Ｔ）の最適記録電流値から１．７〜２．９ｄＢ高い記録電流値で前記磁気テープに信号を記録する記録用磁気ヘッドと、
前記記録用磁気ヘッドにより記録された信号を再生する再生用磁気ヘッドと、
前記磁気テープの走行機構とを備えることを特徴とする磁気記録再生装置。
【請求項７】
前記信号記録に使用される記録電流値は、１Ｔの最適記録電流値から略２．５ｄＢ高い電流値であることを特徴とする請求項５または６に記載の磁気記録再生装置。
【請求項８】
前記再生用磁気ヘッドは異方性磁気抵抗効果型ヘッド（ＡＭＲヘッド）であることを特徴とする請求項５または６に記載の磁気記録再生装置。
【発明の詳細な説明】
【技術分野】
【０００１】
本発明は、斜め蒸着磁気テープに対する記録方法及びその方法による磁気記録再生装置に関する。
【背景技術】
【０００２】
コンピュータやインターネットの発達に伴い扱う情報量も格段に増加してきているが、これに伴いそれらの情報のバックアップなどデータストレージに用いられる記録装置の高容量化が必要となってきている。ここで記憶装置としてはＨＤＤやストレージテープが挙げられ、その高容量化を促進するためには面記録密度を上げる必要がある。また、この面記録密度を上げるためには記録波長を狭める方法で線記録密度を高めたり、トラックピッチを狭めてトラック方向の密度を上げたりする方法がある。
【０００３】
テープストリーマーでは、記録方式としてＤＤＳやＡＩＴに見られるビデオタイプと同じヘリカルスキャン方式と、デジタルリニアテープ（ＤＬＴ）やリニアテープオープン（ＬＴＯ）などに見られる、磁気ヘッドをテープ幅方向に複数ならべ長尺形状の磁気テープに対して長手方向に摺動させて信号がリニアにデジタル記録されるリニア方式の２種類がある。
【０００４】
また、強磁性金属粉末をバインダー中に分散して得られる磁性塗料を非磁性支持体上に塗布して情報記録層を形成した塗布型メタルテープ（ＭＰテープ）に代わって、高記録密度を実現する磁気テープとしてＣｏ系の斜め蒸着磁気テープが実用化されている。この斜め蒸着磁気テープは線記録密度が飛躍的に高いだけでなく、保存安定性や実用信頼性にも優れ、記録容量も伸びてきている。
【０００５】
ただし、斜め蒸着磁気テープの磁性層は、斜方蒸着技術を利用した反応性真空蒸着法によって形成されるが、このようにして形成した磁性層のカラム傾斜方向（磁化容易方向）は、面内方向ではなく、面内から傾いた斜方方向となっており、そのために信号記録を行う磁気ヘッドの走行方向によって、高出力となる方向（正方向）と低出力となる方向（逆方向）が存在する。すなわち、図１に示すように、非磁性テープ１１上に磁性層１２のカラムは斜めに傾斜して並んでおり、図中Ａ方向を正方向、Ｂ方向を逆方向と定義すると、記録再生特性に関して正方向に磁気ヘッド２０が相対的に走行する場合には線記録密度が高く、その逆方向に走行する場合には正方向の場合に比べ線記録密度は３０％ほど劣る傾向がある。そのため、斜め蒸着磁気テープは一定方向だけ記録するヘリカルスキャン方式に用いられている。
【０００６】
しかし、逆方向記録が正方向の場合に比べて３０％線記録密度が劣るとしても正方向の線記録密度がＭＰテープに比べて格段に大きい場合、逆方向での記録再生特性も十分ＭＰテープの当該特性を上回る事が起こりえる。また、最近の動向で再生用磁気ヘッドもインダクティブ型磁気ヘッドから磁気抵抗効果型磁気ヘッド（ＭＲヘッド）、巨大磁気抵抗効果型磁気ヘッド（ＧＭＲヘッド）と変化し、磁性層の膜厚も薄くなる傾向からますます斜め蒸着の逆方向の特性を大幅に伸ばしてきている。したがって従来双方向走行を使用するリニアテープシステムには不向きとされてきた斜め蒸着磁気テープでもその高い記録密度ゆえリニアテープシステムへの登用も検討されつつある。
【０００７】
リニアテープシステムでの記録容量を決める上でのキーは如何に斜め蒸着磁気テープの逆方向記録再生の特性を伸ばすかという点である。ただし、逆方向記録での記録密度を正方向記録の記録密度に合わせることは困難であるため、システム上では正方向記録と逆方向記録での平均の記録密度を取ることになる。そこで正方向記録においてもＳ／Ｎ比を向上させることが出来ればより高密度を狙うことが出来ることから正方向記録だけでも記録密度を伸ばす方法によりシステム全体の記録密度を向上させることが可能となる。
【０００８】
磁気記録の場合、記録用磁気ヘッドに電流を流して誘起される磁場により磁気テープ（磁気記録媒体）を磁化させ、その磁化されたパターンを再生用磁気ヘッドで読み込ませるものである。この時、記録時の記録電流の強さと再生用磁気ヘッドで読み込まれる出力は相関があり、記録電流を上げていくと再生出力レベルも上昇する。そしてある記録電流の強さからは再生出力は上がらなくなる領域があり、それ以上の記録電流を流すと再生出力は減少に転じるという現象がある。
【０００９】
通常、再生出力の一番高い記録電流を一般に最適記録電流と称するが、ある周波数で記録し、その基本波とその第３高調波のレベル差が小さくなる記録電流で一番周波数特性が良いので、その記録電流を最適記録電流と定める技術が開示されている（例えば、特許文献１参照。）。また、出力が最大になる点を最適記録電流として求める技術が提供されている（例えば、特許文献２参照。）。このように一般的には高い周波数での出力を最大にすることが周波数特性を上げることになり、システム上良いこととなっている。
【００１０】
【特許文献１】特開平１１−２８３２０３号公報
【特許文献２】特開平１０−４９８１０号公報
【発明の開示】
【発明が解決しようとする課題】
【００１１】
しかしながら、高密度化が進むと記録される波長もより短波長になり、単純に帯域を伸ばすとビット間隔が狭くなる事によりＮＬＴＳ（Ｎｏｎ  Ｌｉｎｅａｒ  Ｔｒａｎｓｉｔｉｏｎ  Ｓｈｉｆｔ）やＰａｒｔｉａｌ  Ｅｒａｓｅｒなどの現象も無視出来なくなってくる。そうすると、従来のように単純にある周波数での出力を最大にするだけでシステムとして最大のポテンシャルを持つものかどうかは疑わしい。
【００１２】
本発明は、以上の従来技術における問題に鑑みてなされたものであり、正方向記録の記録密度を向上することのできる斜め蒸着磁気テープの記録方法及びその方法を使用する磁気記録再生装置を提供することを目的とする。
【課題を解決するための手段】
【００１３】
前記課題を解決するために提供する本発明は、非磁性テープ上に斜め蒸着により形成された磁性層を有する磁気テープにリニア方式により信号を記録する斜め蒸着磁気テープの記録方法において、前記非磁性テープ表面への磁性層のカラム傾斜方向に磁気ヘッドを相対的に走行させる際に、記録用信号最大周波数（１Ｔ）の最適記録電流値から２．３〜３．２ｄＢ高い記録電流値で前記磁気テープに信号を記録することを特徴とする斜め蒸着磁気テープの記録方法である(請求項１)。
【００１４】
前記課題を解決するために提供する本発明は、非磁性テープ上に斜め蒸着により形成された磁性層を有する磁気テープにヘリカルスキャン方式により信号を記録する斜め蒸着磁気テープの記録方法において、記録用信号最大周波数（１Ｔ）の最適記録電流値から１．７〜２．９ｄＢ高い記録電流値で前記磁気テープに信号を記録することを特徴とする斜め蒸着磁気テープの記録方法である(請求項２)。
【００１５】
ここで、請求項１，２の発明において、前記信号記録に使用される記録電流値は、１Ｔの最適記録電流値から略２．５ｄＢ高い電流値であることが好ましい。また、前記磁性層の厚みは５５ｎｍ以下であることが好適である。
【００１６】
前記課題を解決するために提供する本発明は、非磁性テープ上に斜め蒸着により形成された磁性層を有する磁気テープについてリニア方式で信号を記録する磁気記録再生装置であって、前記非磁性テープ表面への磁性層のカラム傾斜方向に相対的に走行する際に、記録用信号最大周波数（１Ｔ）の最適記録電流値から２．３〜３．２ｄＢ高い記録電流値で前記磁気テープに信号を記録する記録用磁気ヘッドと、前記記録用磁気ヘッドにより記録された信号を再生する再生用磁気ヘッドと、前記磁気テープの走行機構とを備えることを特徴とする磁気記録再生装置である（請求項５）。
【００１７】
前記課題を解決するために提供する本発明は、非磁性テープ上に斜め蒸着により形成された磁性層を有する磁気テープについてヘリカルスキャン方式で信号を記録、再生する磁気記録再生装置であって、記録用信号最大周波数（１Ｔ）の最適記録電流値から１．７〜２．９ｄＢ高い記録電流値で前記磁気テープに信号を記録する記録用磁気ヘッドと、前記記録用磁気ヘッドにより記録された信号を再生する再生用磁気ヘッドと、前記磁気テープの走行機構とを備えることを特徴とする磁気記録再生装置である（請求項６）。
【００１８】
ここで、請求項５，６の発明において、前記信号記録に使用される記録電流値は、１Ｔの最適記録電流値から略２．５ｄＢ高い電流値であることが好ましい。また、前記再生用磁気ヘッドは異方性磁気抵抗効果型ヘッド（ＡＭＲヘッド）であることが好適である。
【発明の効果】
【００１９】
本発明の斜め蒸着磁気テープの記録方法によれば、従来の最適記録電流より高いＳ／Ｎ比を取ることができ、線記録密度のマージンを増加させることができる。
本発明の磁気記録再生装置によれば、リニア方式並びにヘリカルスキャン方式のテープストリーマーとして高記録密度化が可能となり、記憶容量を上げることができる。
【発明を実施するための最良の形態】
【００２０】
以下に、本発明に係る斜め蒸着磁気テープの記録方法の第１の実施の形態について説明する。
本発明は、非磁性テープ上に斜め蒸着により形成された磁性層を有する磁気テープにリニア方式により信号を記録する斜め蒸着磁気テープの記録方法において、前記非磁性テープ表面への磁性層のカラム傾斜方向に磁気ヘッドを相対的に走行させる際に、記録用信号最大周波数（１Ｔ）の最適記録電流値から２．３〜３．２ｄB高い記録電流値で前記磁気テープに信号を記録することを特徴とする。
【００２１】
本発明における斜め蒸着磁気テープへの記録電流値は、記録用信号最大周波数（１Ｔ）の最適記録電流値からの高さが２．３ｄＢ未満ではデジタルSNRが２０ｄBを下回り、３．２ｄＢを超えるとシステム全体の電力も大きくなり不適である。また、当該記録電流値は１Ｔの最適記録電流値から２．３〜３．２ｄＢ高いことが好ましく、１Ｔの最適記録電流値から略２．５ｄＢ高いことがより好ましい。
【００２２】
なお、記録用信号最大周波数（１Ｔ）とは、磁気テープへ記録するシステムで使用する周波数帯域のうち、一番高い周波数のことであり、例えば３〜２４ＭＨｚの帯域を使用するリニアテープシステムでは２４ＭＨｚが該当する。また、１Ｔの最適記録電流値を予め求めておき、その電流値に基づいて斜め蒸着磁気テープへの記録電流値を適宜設定するとよい。
【００２３】
ここで、本発明で使用される斜め蒸着磁気テープ１０（図２を参照）は、ベースフィルムである非磁性テープ１１の一主面上に情報記録層として磁性層１２が斜め蒸着により形成された構成である。
非磁性テープ１１は、一般的に磁気記録媒体に使用されるものをいずれも適用できる。プラスチックフィルム単独で構成してもよく、あるいはプラスチックフィルムの一主面、あるいは両主面に所定の材料により形成された任意の下地層を積層形成した構成としてもよい。
【００２４】
非磁性テープ１１の材料としては、ポリエチレンテレフタレート、ポリエチレンナフタレート、ポリテトラメチレンテレフタレート、ポリ−１，４−シクロヘキシレンジメチレンテレフタレート、ポリエチレン−ｐ−オキシベンゾエート等が挙げられる。また、これらのポリエステルは、ホモポリエステルであってもコポリエステルであってもよい。
【００２５】
さらに非磁性テープ１１は、各種表面処理や各種装飾を施してもよい。例えば、適宜微細な凹凸形状を形成したり、表面にコロナ放電処理や電子線照射処理等の前処理を施したりしてもよい。また、表面に易接着層を形成して成膜される層との接着性を向上させるようにしてもよい。
また、走行安定性や耐久性の向上を図るために、炭酸カルシウム、シリカ、アルミナ、ポリスチレン等の無機フィラーや有機フィラーを内添させてもよい。
【００２６】
磁性層１２は、真空下で強磁性金属材料を加熱蒸発させ非磁性テープ１１上に所定方向に積層させる斜め蒸着技術によって形成され、一定方向にカラムが傾斜した、すなわち磁化容易軸を有するように形成されている。
【００２７】
また、磁性層１２は、磁気記録媒体用として従来公知の強磁性金属、合金をいずれも適用して形成することができる。例えば、Ｃｏ、Ｎｉ等の強磁性金属、ＣｏＮｉ、ＦｅＣｏ、ＦｅＣｏＮｉ、ＣｏＣｒ、ＣｏＰｔ、ＣｏＰｔＢ、ＣｏＣｒＰｔ、ＣｏＣｒＴａ、ＣｏＣｒＰｔＴａ等の合金材料や、これらの材料を酸素雰囲気中で成膜し、膜中に酸素を含有させたもの、またはこれらの材料に１種類あるいは２種類以上のその他の元素を含有させたもの等が挙げられる。
【００２８】
磁性層１２の厚みは、５５ｎｍ以下が好ましい。とくに、異方性磁気抵抗効果型ヘッド（ＡＭＲヘッド）で再生する場合には２５ｎｍ以上、５５ｎｍ以下であることが好ましく、巨大磁気抵抗効果型ヘッド（ＧＭＲヘッド）で再生する場合には、その範囲よりもさらに薄いことが好ましい。
【００２９】
ここで斜め蒸着技術とは、非磁性テープ１１に高真空のチャンバーの中でＣｏ金属の蒸気を被着させるものである。具体的には、高真空中で非磁性テープ１１を走行させ、冷却キャンで背面側から冷却された状態の非磁性テープ１１上にＣｏが斜め蒸着されるものである。この時、Ｃｏ蒸気はチャンバー内に流される酸素ガスによって酸化されたものが非磁性テープ１１に被着する。
【００３０】
また、蒸着された後に、スパッタまたはＣＶＤにてダイヤモンドライクカーボン（ＤＬＣ）のような保護膜、さらにその上に潤滑剤層、および非磁性テープ１１の裏面には走行性を上げるためバック塗料を塗布して、斜め蒸着磁気テープ１０とする。
【００３１】
図２は、斜め蒸着磁気テープ１０と記録用磁気ヘッド２０の構成を示す模式図である。
記録用磁気ヘッド２０は、リング状の部材の一部が開環してギャップ部Ｇを形成し、コイル２０ａが巻き付けられたＭＩＧ（Ｍｅｔａｌ  Ｉｎ  Ｇａｐ）ヘッドであり、磁気ヘッド２０のコアギャップ部には金属軟磁性層２１が形成されている。
【００３２】
また、磁気ヘッド２０は、斜め蒸着磁気テープ１０に対して磁気ヘッド２０の相対的な動き一方向とその逆の方向の両方向に動くリニア方式の磁気記録再生装置に適用され、例えば、４〜１０ｍ／秒程度のリニア速度で斜め蒸着磁気テープ１０を移動させ、マルチチャンネルタイプの磁気ヘッドにより、複数のトラックを同時に記録あるいは再生する。
【００３３】
コアギャップ部の金属軟磁性層２１の材料は、飽和磁束密度を高める材料であり、例えば、ＣｏＺｒＮｂ、ＦｅＡｌＳｉ、ＮｉＦｅ、ＦｅＧａＳｉＲｕ、ＦｅＧａＳｉＲｕＯ、ＦｅＴａＣ、ＣｉＮｉＦｅＢ，ＣｏＦｅＢ，ＣｏＮｉＦｅＳ，ＣｏＮｉＦｅＣ，ＣｏＮｏｉＦｅＭｏＣ，ＦｅＴａＮ，ＦｅＡｌＮ，ＦｅＲｈＮ，ＦｅＭｏＮ，ＦｅＺｒＮ，ＦｅＳｉＮ，ＦｅＺｒＯ，ＦｅＡｌＮｂＮＯなどを用いることができる。金属軟磁性層２１の材料は、これらの例に限られない。
【００３４】
本発明の斜め蒸着磁気テープの記録方法により、従来の最適記録電流より高いＳ／Ｎ比を取ることができ、線記録密度のマージンを増加させることが可能となる。また、リニア方式のテープストリーマーの容量を上げることが可能となる。
【００３５】
つぎに、本発明に係る斜め蒸着磁気テープの記録方法の第２の実施の形態について説明する。
本発明は、非磁性テープ上に斜め蒸着により形成された磁性層を有する磁気テープにヘリカルスキャン方式により信号を記録する斜め蒸着磁気テープの記録方法において、記録用信号最大周波数（１Ｔ）の最適記録電流値から１．７〜２．９ｄＢ高い記録電流値で前記磁気テープに信号を記録することを特徴とする。
【００３６】
本発明における斜め蒸着磁気テープへの記録電流値は、記録用信号最大周波数（１Ｔ）の最適記録電流値からの高さが１．７ｄＢ未満では大きな劣化が起こり、２．９ｄＢを超えると記録電流が高すぎてシステムの電力も大きくなり不適である。また、当該記録電流値は１Ｔの最適記録電流値から１．７〜２．９ｄＢ高いことが好ましく、１Ｔの最適記録電流値から略２．５ｄＢ高いことがより好ましい。
【００３７】
なお、記録用信号最大周波数（１Ｔ）とは、磁気テープへ記録するシステムで使用する周波数帯域のうち、一番高い周波数のことであり、例えば３〜２４ＭＨｚの帯域を使用するヘリカルテープシステムでは２４ＭＨｚが該当する。また、１Ｔの最適記録電流値を予め求めておき、その電流値に基づいて斜め蒸着磁気テープへの記録電流値を適宜設定するとよい。
なお、本実施の形態において使用される斜め蒸着磁気テープは上記第１の実施の形態において示した磁気テープと同じ構成でよい。
【００３８】
本発明の斜め蒸着磁気テープの記録方法により、従来の最適記録電流より高いＳ／Ｎ比を取ることができ、線記録密度のマージンを増加させることが可能となる。また、ヘリカルスキャン方式のテープストリーマーの容量を上げることが可能となる。
【００３９】
つぎに、本発明の磁気記録再生装置の第１の実施の形態について説明する。
図３は、本発明に係る磁気記録再生装置の構成を示す概略図である。
この磁気記録再生装置３０は、非磁性テープ上に斜め蒸着により形成された磁性層を有する磁気テープについてリニア方式で信号を記録、再生する磁気記録再生装置である。
磁気記録再生装置３０は、斜め蒸着磁気テープ１０が収納されているカセット１００から該斜め蒸着磁気テープ１０を巻き出す巻き出しロール３１と、巻き取りロール３２と、これらの中間部に斜め蒸着磁気テープ１０に対して所定のテンションを与え、所望の方向に走行させるために所定間隔に配設されたガイドロール３３とからなる磁気テープの走行機構とを備える。また、これらガイドロール３３間には、斜め蒸着磁気テープ１０の主面に形成された磁性層１２に対して信号の記録、再生を行うための記録用磁気ヘッド及び再生用磁気ヘッドを有する磁気ヘッドユニット３４が配置されており、斜め蒸着磁気テープ１０の正逆両方向の走行に対して、記録再生が可能となっている。
【００４０】
記録用磁気ヘッドは、図２で示した磁気ヘッド２０と同じ構成でよく、再生用磁気ヘッドは、磁気抵抗効果型の磁気ヘッド、例えばＡＭＲヘッドを適用する。
【００４１】
磁気記録再生装置３０において、斜め蒸着磁気テープ１０が非磁性テープ表面への磁性層のカラム傾斜方向に対して正方向に走行する際に、磁気ヘッドユニット３４の記録用磁気ヘッドにより、予め求めておいた１Ｔの最適記録電流値から２．３〜３．２ｄＢ高い記録電流値で斜め蒸着磁気テープ１０に対して信号を記録することが可能となっている。また、磁気ヘッドユニット３４の再生用磁気ヘッドにより、その記録された斜め蒸着磁気テープ１０を再生することが可能となっている。
【００４２】
上記本発明の磁気記録再生装置によれば、従来の１Ｔの最適記録電流値で斜め蒸着磁気テープへ記録する場合よりも高いＳ／Ｎ比が得られ、リニア方式のテープストリーマーとして高記録密度化が可能となり、記憶容量を上げることができる。
【００４３】
つぎに、本発明の磁気記録再生装置の第２の実施の形態について説明する。
図４は、本発明に係る磁気記録再生装置の構成例を示す概略図である。
この磁気記録再生装置４０は、ヘリカルスキャン方式によってテープカセット２００に収納された斜め蒸着磁気テープ１０に対して情報信号の記録又は再生を行うものであり、テープカセット２００には、斜め蒸着磁気テープ１０を供給するための供給リール４１と、この供給リール４１から供給された斜め蒸着磁気テープ１０を巻き取るための巻取リール４２とが回転可能に設けられている。
【００４４】
磁気記録再生装置４０は、テープカセット２００を着脱可能とする装置本体４３を備え、この装置本体４３には、テープカセット２００のローディング時に供給リール４１と巻取リール４２との間で斜め蒸着磁気テープ１０の引き回しを行う複数のガイドローラ４４ａ〜４４ｆが設けられている。
【００４５】
また、ガイドローラ４４ｅとガイドローラ４４ｆとの間には、テープ走行手段として、斜め蒸着磁気テープ１０が掛け合わされるピンチローラ４５と、このピンチローラ４５と共に斜め蒸着磁気テープ１０を挟み込むキャップスタン４６と、このキャップスタン４６を回転駆動するキャップスタンモータ４７とが設けられている。そして、斜め蒸着磁気テープ１０は、ピンチローラ４５とキャップスタン４６との間に挟み込まれた状態で、キャップスタンモータ１０によりキャップスタン４６が図４中矢印Ａ方向に回転駆動されることによって、図４中矢印Ｂ方向に一定の速度及び張力で走行するようになされている。
【００４６】
また、ガイドローラ４４ｃとガイドローラ４４ｄとの間には、記録再生手段として、一対の記録用磁気ヘッド４８ａ，４８ｂ及び一対の再生用磁気ヘッド４９ａ，４９ｂが搭載されたヘッドドラム５０が設けられている。斜め蒸着磁気テープ１０は、上述した複数のガイドローラ４４ａ〜４４ｆによってテープカセット２００から引き出され、このヘッドドラム５０に略１８０゜の角度範囲でヘリカル状に巻き付けられた状態で、図５中矢印Ｂ方向に走行される。
【００４７】
このヘッドドラム１１は、図４及び図５に示すように、上下方向に組み合わされた一組の回転ドラム５１及び固定ドラム５２と、回転ドラム５１を回転駆動する駆動モータ５３とを備え、互いの中心軸を一致させた状態で装置本体４３のベースに対してやや斜めに傾斜した状態で配置されている。
【００４８】
このうち、下ドラムを構成する固定ドラム５２は、装置本体４３のベースに固定支持されており、その円筒状の外周面５２ａには、斜め蒸着磁気テープ１０を案内するリードガイド５４が形成されている。斜め蒸着磁気テープ１０は、このリードガイド５４に沿って回転ドラム５１の回転方向に対して斜めに走行される。
【００４９】
一方、上ドラムを構成する回転ドラム５１は、中心軸を一致させた略同径の固定ドラム５２に対して回転可能に支持されると共に、固定ドラム５２の下方に配置された駆動モータ５３によって、図４及び図５中矢印Ｃ方向に回転駆動される。また、回転ドラム５１の固定ドラム５２と対向する側の外周部には、斜め蒸着磁気テープ１０に対して信号の記録動作を行う一対の記録用磁気ヘッド４８ａ，４８ｂと、斜め蒸着磁気テープ１０に対して信号の再生動作を行う一対の再生用磁気ヘッド４９ａ，４９ｂとが取り付けられている。
【００５０】
一対の記録用磁気ヘッド４８ａ，４８ｂは、図２に示すような一対の磁気コアが磁気ギャップを介して接合されると共に、磁気コアにコイルが巻装されてなるＭＩＧヘッドである。これら一対の記録用磁気ヘッド４８ａ，４８ｂは、回転ドラム５１の回転中心に対して互いになす中心角が１８０°となる位置において互いに対向配置されている。また、これら一対の記録用磁気ヘッド４８ａ，４８ｂは、それぞれの記録ギャップが回転ドラム５１の外周面から外部に臨むように、回転ドラム５１の外周面から僅かに突出して設けられている。なお、これら一対の記録用磁気ヘッド４８ａ，４８ｂは、斜め蒸着磁気テープ１０に対してアジマス記録を行えるように、互いの記録ギャップが斜め蒸着磁気テープ１０の走行方向と略直交する方向に対してアジマス角に応じて斜めとなるように配置されている。また、一対の記録用磁気ヘッド４８ａ，４８ｂは、互いのアジマス角が逆位相となるように設定されている。
【００５１】
一方、一対の再生用磁気ヘッド４９ａ，４９ｂは、斜め蒸着磁気テープ１０からの信号を検出する感磁素子として磁気抵抗効果素子（ＭＲ素子）を備えた磁気抵抗効果型磁気ヘッド（ＭＲヘッド）である。ここではＡＭＲヘッドを適用する。これら一対の再生用磁気ヘッド４９ａ，４９ｂは、回転ドラム５１の回転中心に対して互いになす中心角が１８０°となる位置において互いに対向配置されている。また、これら一対の再生用磁気ヘッド４９ａ，４９ｂは、それぞれの再生ギャップが回転ドラム５１の外周面から外部に臨むように、回転ドラム５１の外周面から僅かに突出して設けられている。なお、これら一対の再生用磁気ヘッド４９ａ，４９ｂは、斜め蒸着磁気テープ１０に対してアジマス記録された信号を再生できるように、互いの再生ギャップが斜め蒸着磁気テープ１０の走行方向と略直交する方向に対してアジマス角に応じて斜めとなるように配置されている。また、一対の再生用磁気ヘッド４９ａ，４９ｂは、互いのアジマス角が逆位相となるように設定されている。
【００５２】
そして、このヘッドドラム５０では、回転ドラム５１及び固定ドラム５２の外周面５１ａ，５２ａに巻き付けられた斜め蒸着磁気テープ１０が、図５中矢印Ｂ方向に走行されながら、駆動モータ５３により回転ドラム５１が、図５中矢印Ｃ方向に回転駆動されることによって、この回転ドラム５１に搭載された一対の記録用磁気ヘッド４８ａ，４８ｂ及び一対の再生用磁気ヘッド４９ａ，４９ｂが斜め蒸着磁気テープ１０と摺接しながら、信号の記録動作又は再生動作が行われる。
【００５３】
具体的に、記録時には、斜め蒸着磁気テープ１０に対して、一方の記録用磁気ヘッド４８ａが、記録信号に応じた磁界を印加しながら所定のトラック幅で記録トラックを形成し、他方の記録用磁気ヘッド４８ｂが、この記録トラックに隣接して記録信号に応じた磁界を印加しながら所定のトラック幅で記録トラックを形成する。そして、これら記録用磁気ヘッド４８ａ，４８ｂが斜め蒸着磁気テープ１０に対して繰り返し記録トラックを形成することによって、斜め蒸着磁気テープ１０に対して連続的に信号を記録することになる。
【００５４】
一方、再生時には、斜め蒸着磁気テープ１０に対して、一方の再生用磁気ヘッド４９ａが、一方の記録用磁気ヘッド４８ａにより記録された記録トラックから信号磁界を検出し、他方の再生用磁気ヘッド４９ｂが、他方の記録用磁気ヘッド４８ｂにより記録された記録トラックから信号磁界を検出する。そして、これら再生用磁気ヘッド４９ａ，４９ｂが記録トラックから繰り返し信号磁界を検出することによって、斜め蒸着磁気テープ１０に記録された信号を連続的に再生することになる。
【００５５】
磁気記録再生装置４０において、斜め蒸着磁気テープ１０が走行する際に、記録用磁気ヘッド４８ａ，４８ｂそれぞれにより、予め求めておいた１Ｔの最適記録電流値から１．７〜２．９ｄＢ高い記録電流値で斜め蒸着磁気テープ１０に対して信号を記録することが可能となっている。
【００５６】
上記本発明の磁気記録再生装置によれば、従来の１Ｔの最適記録電流値で斜め蒸着磁気テープへ記録する場合よりも高いＳ／Ｎ比が取れ、ヘリカルスキャン方式のテープストリーマーとして高記録密度化が可能となり、記憶容量を上げることができる。
【実施例】
【００５７】
以下、本発明の実施例として、記録用磁気ヘッドにＭＩＧヘッド、再生用磁気ヘッドにＡＭＲヘッド、メディアにＣｏ酸化物系の斜め蒸着磁気テープを用いて最適記録電流とそのシステムの良否を決めるＳ／Ｎ比の観点から調査を行った結果を示す。なお、本発明は以下に示す実施例に限定されるものではない。
【００５８】
（実施例１）
（１）供試材
記録再生の際に使用した供試材及び磁気ヘッドを以下に示す。
（ｉ）供試材：斜め蒸着磁気テープ
・非磁性テープ：高分子フィルム
・磁性層：ＣｏＯ斜め蒸着膜（膜厚；５５ｎｍ）
（ii）記録用磁気ヘッド：ＭＩＧヘッド（トラック幅７μｍ、ギャップ長０．２μｍ）
（iii）再生用磁気ヘッド：ＡＭＲヘッド（トラック幅１．９μｍ、シールド間距離０．１８μｍ）
【００５９】
（２）記録再生方法
円筒状のドラムの周面に上記斜め蒸着磁気テープを巻きつけ、記録用磁気ヘッドと再生用磁気ヘッドを独立に当該磁気テープに当てて記録再生を行うドラムテスターと呼ばれるものでつぎの手順で評価を行った。
（Ｓ１１）１Ｔ信号（波長０．２４μｍ）を使用して記録電流を変えながらＭＩＧヘッドによりリニア方式で記録を行い、ＡＭＲヘッドによる再生出力レベルをスペクトルアナライザで調査して最適記録電流値を求める。このとき、図１の正方向に斜め蒸着磁気テープを走行させる関係で記録再生を行った。
（Ｓ１２）ステップＳ１１で求められた１Ｔの最適記録電流値を含む電流値範囲で記録電流値を変えながら、再生データからデジタルＳＮＲを算出できるように１２７ｂｉｔのＭ系列信号を使用してＭＩＧヘッドによりリニア方式の記録を行う。このとき、図１の正方向に斜め蒸着磁気テープを走行させる関係で記録を行った。
（Ｓ１３）各記録電流値で記録された信号をＡＭＲヘッドにより再生する。
（Ｓ１４）得られた信号出力をデジタルオシロスコープに取り込み、その再生波形データを数値計算により各記録電流値のデジタルＳＮＲを算出する。
なお、磁気ヘッドと磁気テープとの相対速度は６．８ｍ／ｓとし、ここでの変調方式はＥＰＲ４とした。
【００６０】
（３）評価結果
調査の結果、１Ｔ信号の出力を最大にする記録電流値（最適記録電流値）は３７ｍＡであった。そこで、Ｍ系列信号を記録電流を３０〜６０ｍＡまで変化させて各記録電流値のデジタルＳＮＲを算出した結果を図６に示す。デジタルＳＮＲは記録電流値５０ｍＡで最大となった。
この様に使用する信号周波数帯域でもっとも高い周波数である１Ｔでの出力レベルを最大にすることにより周波数特性が最良になるはずであるが、実際はその最適記録電流値よりも２．３〜３．２ｄB高い記録電流値とするとよく、とくに２．６ｄＢ高い記録電流値を用いることが最善であった。
【００６１】
これは記録する信号の周波数を変えて記録電流特性を取ると図７のようになり、最適記録電流が周波数により違ってきていることに起因している。図７において、マークサイズが大きなプロットは安定して出力が得られる領域（出力変動のない領域）であり、マークサイズが小さなプロットは記録するたびに出力変動がある領域である。ここではマークサイズが小さなプロットは平均的な出力レベルを示している。図７からわかるように、高い周波数（２４ＭＨｚ）で最大になる記録電流値は３５〜４０ｍＡの範囲内であるが、低域（３ＭＨｚ）における出力レベルはやっと安定して出力が取れる記録電流になったばかりであり、さらに記録電流値を上げると若干であるが、低域の出力レベルは上がる特性になっている。したがって、単一周波数での出力レベルを調べ高域での出力が最大となる記録電流値（最適記録電流値）を設定しても、実際に書き込まれるデータは低域から高域までの周波数成分を含んでいるため、高域だけ最大の出力レベルになっても必ずしもシステム上最良とは言えず、上記のように当該最適記録電流値よりも２．３〜３．２ｄＢ高い記録電流値とするとよい。
【００６２】
（実施例２）
（１）供試材
記録再生の際に使用した供試材及び磁気記録再生装置を以下に示す。
（ｉ）供試材：斜め蒸着磁気テープ
・非磁性テープ：高分子フィルム
・磁性層：ＣｏＯ斜め蒸着膜（膜厚；５０ｎｍ）
（ii）磁気記録再生装置；ヘリカルスキャン方式のバックアップ用テープストリーマーであるＡＩＴドライブ
・記録用磁気ヘッド：ＭＩＧヘッド（トラック幅９μｍ、ギャップ長０．２μｍ）
・再生用磁気ヘッド：ＡＭＲヘッド（トラック幅５μｍ、シールド間距離０．２μｍ）
【００６３】
（２）記録再生方法
上記斜め蒸着磁気テープを上記ＡＩＴドライブにセットし、つぎの手順で評価を行った。
（Ｓ２１）１Ｔ信号（波長０．２４μｍ）を使用して記録電流を変えながらＭＩＧヘッドにより記録を行い、ＡＭＲヘッドによる再生出力レベルをスペクトルアナライザで調査して最適記録電流値を求める。
（Ｓ２２）ステップＳ２１で求められた１Ｔの最適記録電流値を含む電流値範囲で記録電流値を変えながら、再生データからデジタルＳＮＲを算出できるように１２７ｂｉｔのＭ系列信号を使用してＭＩＧヘッドにより記録を行う。
（Ｓ２３）各記録電流値で記録された信号をＡＭＲヘッドにより再生する。
（Ｓ２４）得られた信号出力をデジタルオシロスコープに取り込み、その再生波形データを数値計算により各記録電流値のデジタルＳＮＲを算出する。
なお、磁気ヘッドと磁気テープとの相対速度は１０ｍ／ｓとし、ここでの変調方式はＰＲ１とした。
【００６４】
（３）評価結果
調査の結果、１Ｔ信号の出力を最大にする記録電流値（最適記録電流値）は３６ｍＡであった。そこで、Ｍ系列信号を記録電流を３０〜６０ｍＡまで変化させて各記録電流値のデジタルＳＮＲを算出した結果を図８に示す。デジタルＳＮＲは記録電流値４８ｍＡで最大となった。
この様に使用する信号周波数帯域でもっとも高い周波数である１Ｔでの出力レベルを最大にすることにより周波数特性が最良になるはずであるが、実際はその最適記録電流値よりも１．７〜２．９ｄＢ高い記録電流値とするとよく、特に２．５ｄＢ高い記録電流値を用いることが最善であった。このように磁性層の膜厚が実施例１よりも薄くなった分だけ１Ｔの最適記録電流値は小さくなっているが、デジタルＳＮＲを最大にする最適記録電流も同じく小さくなる。
【００６５】
以上のように、実施例１、実施例２ともに１Ｔの最適記録電流値よりも記録電流値を高く設定するほうがよく、とくに略２．５ｄＢ高い記録電流値が両テープシステムにおいて最適である。
また、従来の高い周波数での出力を最大にする最適記録電流値よりも本発明で定義する最適記録電流値の方がＳ／Ｎ比で１〜２ｄＢ程度のマージンが伸び、そのマージン分を線記録密度の方に振り分けられるのでより高い記録密度を得ることが可能となる。
【００６６】
なお、１Ｔの最適記録電流値よりも記録電流値を高く設定するほうがデジタルＳＮＲがよくなることは逆方向記録では起こらない現象であり、正方向記録での場合のみ有効である。このため、逆方向と正方向の平均的な記録密度とするリニア方式のテープストリーマーでは正方向記録の記録密度を延ばすことで、逆方向と正方向の平均的な記録密度を伸ばすことが可能となる。また、この原理はヘリカルスキャン方式のテープストリーマーにも適応可能である。
【図面の簡単な説明】
【００６７】
【図１】磁気ヘッドのコアギャップ部と斜め蒸着磁気テープの拡大図である。
【図２】斜め蒸着磁気テープと記録用磁気ヘッドの構成を示す模式図である。
【図３】本発明に係る磁気記録再生装置の第１の実施の形態の構成を示す概略図である。
【図４】本発明に係る磁気記録再生装置の第２の実施の形態の構成を示す平面図である。
【図５】ドラムヘッドの構成を示す斜視図である。
【図６】実施例１の記録電流とデジタルＳＮＲとの関係を示す図である。
【図７】実施例１の周波数ごとの記録電流と出力レベルとの関係を示す図である。
【図８】実施例２の記録電流とデジタルＳＮＲとの関係を示す図である。
【符号の説明】
【００６８】
１０…斜め蒸着磁気テープ、１１…非磁性テープ、１２…磁性層、２０…記録用磁気ヘッド、２０ａ…コイル、２１…金属軟磁性層、３０，４０…磁気記録再生装置、３１…巻き出しロール、３２…巻き取りロール、３３…ガイドロール、３４…磁気ヘッドユニット、４１…供給リール、４２…巻取リール、４３…装置本体、４４ａ〜４４ｆ…ガイドローラ、４５…ピンチローラ、４６…キャップスタン、４７…キャップスタンモータ、４８ａ，４８ｂ…記録ヘッド、４９ａ，４９ｂ…再生ヘッド、５０…ヘッドドラム、５１…回転ドラム、５２…固定ドラム、５３…駆動モータ、１００，２００…テープカセット
【図１】
2006134381.tif 000003
【図２】
2006134381.tif 000004
【図３】
2006134381.tif 000005
【図４】
2006134381.tif 000006
【図５】
2006134381.tif 000007
【図６】
2006134381.tif 000008
【図７】
2006134381.tif 000009
【図８】
2006134381.tif 000010